(57)【特許請求の範囲】
【請求項１】
本体部を備える導光体であって、
前記本体部は、
光源の発光する光が入射され得る入射面と、
前記入射面に対向し、前記入射面に入射した前記光を出射する第１出射面と
を含み、
前記入射面は、
前記第１出射面から離れるように凸状に湾曲し、前記本体部の光軸が通る第１入射曲面を含み、
前記第１出射面は、前記入射面に向かって凹状に湾曲しており、
前記本体部は、前記入射面に入射した前記光を出射する第２出射面をさらに含み、
前記第２出射面は、前記第１出射面と前記入射面とを囲むように前記光軸の周りに形成され、
前記入射面は、前記第１入射曲面を囲むように前記光軸の周りに形成される第２入射曲面をさらに含み、
前記第２入射曲面は、前記第２入射曲面と前記第２出射面との間の距離が前記第１出射面に向かって拡大するように形成される、導光体。
【請求項２】
前記第１出射面は、前記光軸が通る第１出射曲面と、前記第１出射曲面の周囲に形成される第２出射曲面とを含み、
前記第２出射曲面の曲率半径は、前記第１出射曲面の曲率半径よりも大きい、請求項１に記載の導光体。
【請求項３】
前記第１入射曲面の曲率半径は、前記第１出射曲面の前記曲率半径よりも大きい、請求項２に記載の導光体。
【請求項４】
前記入射面の外縁に沿って形成され、前記光軸に沿って延びる筒部をさらに備え、
前記筒部の内壁面と前記入射面とは凹部を形成する、請求項１から請求項３のいずれか１項に記載の導光体。
【請求項５】
前記筒部は、前記本体部に対して前記光源を位置決めする位置決め部を含む、請求項４に記載の導光体。
【請求項６】
前記筒部は、配線が横断する横断部を含む、請求項４又は請求項５に記載の導光体。
【請求項７】
前記入射面及び前記第１出射面のうちの少なくとも１つの一部又は全部は、光拡散処理又は遮光処理されている、請求項１から請求項６のいずれか１項に記載の導光体。
【請求項８】
請求項１から請求項７のいずれか１項に記載の導光体と、
前記光源と
を備える、発光装置。
【発明の詳細な説明】
【技術分野】
【０００１】
本発明は、導光体及び発光装置に関する。
【背景技術】
【０００２】
特許文献１に記載された発光装置は、ＬＥＤ及び導光体を備え、白熱電球の配光と同様の配光を実現する。導光体は、光入射部、第１円環状部、第２円環状部、及び光出射部を有する。光入射部は円錐状の切り欠き部である。第１円環状部及び第２円環状部の各々は、光軸の周りに環状に形成され、断面三角形状の凹部である。光入射部、第１円環状部、及び第２円環状部から入射した光は、光出射部から出射する。
【先行技術文献】
【特許文献】
【０００３】
【特許文献１】特開２０１２−３８４５号公報
【発明の概要】
【発明が解決しようとする課題】
【０００４】
しかしながら、特許文献１に記載された発光装置では、光入射部、第１円環状部、及び第２円環状部の各々は、尖頭を有する。従って、光入射部、第１円環状部、及び第２円環状部から入射して、光出射部から出射する光には、照度ムラが発生する場合がある。
【０００５】
本発明は上記課題に鑑みてなされたものであり、その目的は、出射する光に照度ムラが発生することを抑制できる導光体及び発光装置を提供することにある。
【課題を解決するための手段】
【０００６】
本願に開示する導光体は、本体部を備える。前記本体部は、光源の発光する光が入射され得る入射面と、前記入射面に対向し、前記入射面に入射した前記光を出射する第１出射面とを含む。前記入射面は、第１入射曲面を含む。第１入射曲面は、前記第１出射面から離れるように凸状に湾曲し、前記本体部の光軸が通る。前記第１出射面は、前記入射面に向かって凹状に湾曲している。前記本体部は、第２出射面をさらに含む。第２出射面は、前記入射面に入射した前記光を出射する。前記第２出射面は、前記第１出射面と前記入射面とを囲むように前記光軸の周りに形成される。前記入射面は、第２入射曲面をさらに含む。第２入射曲面は、前記第１入射曲面を囲むように前記光軸の周りに形成される。前記第２入射曲面は、前記第２入射曲面と前記第２出射面との間の距離が前記第１出射面に向かって拡大するように形成される。
【０００７】
本願に開示する導光体において、前記第１出射面は、前記光軸が通る第１出射曲面と、前記第１出射曲面の周囲に形成される第２出射曲面とを含むことが好ましい。前記第２出射曲面の曲率半径は、前記第１出射曲面の曲率半径よりも大きいことが好ましい。
【０００８】
本願に開示する導光体において、前記第１入射曲面の曲率半径は、前記第１出射曲面の前記曲率半径よりも大きいことが好ましい。
【００１０】
本願に開示する導光体は、筒部をさらに備えることが好ましい。筒部は、前記入射面の外縁に沿って形成され、前記光軸に沿って延びることが好ましい。前記筒部の内壁面と前記入射面とは凹部を形成することが好ましい。
【００１１】
本願に開示する導光体において、前記筒部は、前記本体部に対して前記光源を位置決めする位置決め部を含むことが好ましい。
【００１２】
本願に開示する導光体において、前記筒部は、配線が横断する横断部を含むことが好ましい。
【００１３】
本願に開示する導光体において、前記入射面、前記第１出射面、及び前記第２出射面のうちの少なくとも１つの一部又は全部は、光拡散処理又は遮光処理されていることが好ましい。
【００１４】
本願に開示する発光装置は、上記の導光体と、前記光源とを備える。
【発明の効果】
【００１５】
本発明によれば、出射する光に照度ムラが発生することを抑制できる。
【図面の簡単な説明】
【００１６】
【図１】（ａ）本発明の実施形態に係る導光体を示す斜視図である。（ｂ）図１（ａ）のＩＢ−ＩＢ線に沿った断面図である。
【図２】（ａ）本発明の実施形態に係る導光体を示す底面図である。（ｂ）本発明の実施形態に係る導光体を示す平面図である。
【図３】本発明の実施形態に係る導光体を通る光の出射経路を示す図である。
【図４】本発明の実施形態に係る導光体を備える発光装置を示す断面図である。
【図５】（ａ）本発明の実施形態に係る導光体に装着される光源ユニットの表面側を示す斜視図である。（ｂ）本発明の実施形態に係る導光体に装着される光源ユニットの裏面側を示す斜視図である。
【図６】本発明の実施形態に係る導光体を備える照明器具を示す図である。
【図７】（ａ）本発明の実施形態の変形例に係る導光体を示す斜視図である。（ｂ）図７（ａ）のＶＩＩＢ−ＶＩＩＢ線に沿った断面図である。
【発明を実施するための形態】
【００１７】
以下、本発明の実施形態について、図面を参照しながら説明する。なお、図中、同一または相当部分については同一の参照符号を付して説明を繰り返さない。
【００１８】
図１（ａ）は、本発明の実施形態に係る導光体１を示す斜視図である。図１（ｂ）は、図１（ａ）のＩＢ−ＩＢ線に沿った断面図である。図２（ａ）は、導光体１を示す底面図である。図２（ｂ）は、導光体１を示す平面図である。
【００１９】
図１（ａ）、図１（ｂ）、図２（ａ）、及び図２（ｂ）に示すように、導光体１は、例えば、レンズである。導光体１は、本体部３と、筒部５とを備える。本体部３は、入射面７と、第１出射面９と、第２出射面１１とを有する。また、本体部３は光軸ＡＸを有する。
【００２０】
入射面７は、第１入射曲面１３と、第２入射曲面１５とを有する。図１（ｂ）では、理解を容易にするため、第１入射曲面１３を破線で囲み、第２入射曲面１５を一点鎖線で囲んでいる。また、図２（ａ）では、第１入射曲面１３と第２入射曲面１５とを区別するため、一点鎖線を付している。
【００２１】
第１出射面９は、第１出射曲面１７と、第２出射曲面１９とを有する。図１（ｂ）では、理解を容易にするため、第１出射曲面１７を破線で囲み、第２出射曲面１９を一点鎖線で囲んでいる。また、図２（ｂ）では、第１出射曲面１７と第２出射曲面１９とを区別するため、一点鎖線を付している。
【００２２】
入射面７には、光源としてのＬＥＤ（Ｌｉｇｈｔ  Ｅｍｉｔｔｉｎｇ  Ｄｉｏｄｅ）群５１の発光する光が入射され得る。ＬＥＤ群５１は複数のＬＥＤを含む。なお、ＬＥＤ群５１に代えて、単数のＬＥＤを光源として用いてもよい。
【００２３】
第１入射曲面１３の中央を導光体１の光軸ＡＸが通る。第１入射曲面１３は、第１出射面９から離れるように凸状に湾曲している。つまり、第１入射曲面１３は、ＬＥＤ群５１に向かって凸状に湾曲している。第１入射曲面１３の曲率半径は、第１出射曲面１７の曲率半径よりも大きい。第１入射曲面１３は、図２（ａ）に示すように底面視において略円形である。
【００２４】
第２入射曲面１５は、第１入射曲面１３を囲むように光軸ＡＸの周りに形成される。第２入射曲面１５は、図２（ａ）に示すように底面視において略円環状である。第２入射曲面１５は、本体部３の径方向における第２入射曲面１５と第２出射面１１との間の距離が第１出射面９に向かって拡大するように形成される。その結果、本体部３には、光軸ＡＸの周りに、略円環状の肉厚部１６が形成される。なお、本体部３の径方向とは、光軸ＡＸに直交する方向である。
【００２５】
第１出射面９は、入射面７に入射した光の少なくとも一部を出射する。第１出射面９は、入射面７に対向し、入射面７に向かって凹状に湾曲している。従って、第１出射面９は凹部２７を形成する。
【００２６】
第１出射曲面１７の中央を導光体１の光軸ＡＸが通る。第１出射曲面１７は、図２（ｂ）に示すように平面視において略円形である。第２出射曲面１９は、第１出射曲面１７の周囲に形成され、図２（ｂ）に示すように平面視において略円環状である。第２出射曲面１９の曲率半径は、第１出射曲面１７の曲率半径よりも大きい。
【００２７】
第２出射面１１は、入射面７に入射した光の少なくとも一部を出射する。第２出射面１１は、第１出射面９と入射面７とを囲むように、導光体１の光軸ＡＸの周りに形成される。第２出射面１１は略円筒状である。
【００２８】
筒部５は、入射面７の外縁に沿って形成され、導光体１の光軸ＡＸに沿って延びる。図１（ａ）では、本体部３と筒部５とを区別するため、一点鎖線を付している。筒部５の内壁面２３と入射面７とは凹部２５を形成する。具体的には、内壁面２３は、凹部２５の側面を形成し、入射面７は、ＬＥＤ群５１に対する天面を形成する。従って、第２入射曲面１５は、凹部２５の側面を形成しない。筒部５は、互いに対向する２つの位置決め部２１を含む。位置決め部２１は、本体部３に対してＬＥＤ群５１を位置決めする。本実施形態では、位置決め部２１は、筒部５に形成された貫通孔である。なお、位置決め部２１は、筒部５を貫通せず、筒部５の内面に凹状に形成されていてもよい。
【００２９】
図３を参照して、導光体１を通る光の出射経路について説明する。図３は、導光体１を通る光の出射経路を示す図である。図３に示すように、ＬＥＤ群５１の発光した光は、第１入射曲面１３に入射し、本体部３に進入する。第１入射曲面１３は、入射した光を第１出射面９に向けて屈折させる。本実施形態では、第１入射曲面１３は、入射した光を屈折させて平行光にし、第１出射面９に向けて進ませる。
【００３０】
第１出射面９は、第１出射面９に到達した光の一部（以下、「第１入射光」と記載する場合がある。）を透過及び屈折させて出射する。具体的には、第１出射面９は、第１出射面９に対する光の入射角度と本体部３の屈折率と空気の屈折率とで定まる屈折角で、第１入射光を透過及び屈折させて出射する。
【００３１】
また、第１出射面９は、第１出射面９に到達した光の他の一部（以下、「第２入射光」と記載する場合がある。）を、第２出射面１１に向けて反射する。具体的には、第１出射面９は、第１出射面９に対する光の入射角度で定まる反射角で、第２入射光を第２出射面１１に向けて反射する。本実施形態では、第１出射面９は、光軸ＡＸに交差する方向Ｄに沿って、光軸ＡＸから離れるように、第２入射光を第２出射面１１に向けて反射する。
【００３２】
第２出射面１１は、第２入射光を透過及び屈折させて出射する。具体的には、第２出射面１１は、第２出射面１１に対する光の入射角度と本体部３の屈折率と空気の屈折率とで定まる屈折角で、第２入射光を透過及び屈折させて出射する。本実施形態では、第２出射面１１は、光軸ＡＸに交差する方向Ｄに沿って、光軸ＡＸから離れるように第２入射光を出射する。
【００３３】
例えば、ＬＥＤ群５１の発光した光のうちの入射光Ｃ１は、第１入射曲面１３に入射し、本体部３に進入する。入射光Ｃ１は、第１入射曲面１３のうち光軸ＡＸの近傍の領域（以下、「近傍領域」と記載する。）に入射した光を示す。第１入射曲面１３は、第１出射曲面１７に向けて入射光Ｃ１を屈折させる。第１出射曲面１７は、入射光Ｃ１の一部（本実施形態では、入射光Ｃ１の大部分）を出射光Ｅ１として光軸ＡＸに沿って出射する。
【００３４】
例えば、ＬＥＤ群５１の発光した光のうちの入射光Ｃ２は、第１入射曲面１３に入射し、本体部３に進入する。入射光Ｃ２は、第１入射曲面１３のうち近傍領域の周囲の領域に入射した光を示す。第１入射曲面１３は、第２出射曲面１９に向けて入射光Ｃ２を屈折させる。第２出射曲面１９は、入射光Ｃ２の一部を、光軸ＡＸの側に屈折させ、出射光Ｅ２として出射する。また、第２出射曲面１９は、入射光Ｃ２の他の一部を、光軸ＡＸに交差する方向Ｄに沿って、第２出射面１１に向けて反射する。第２出射面１１は、第２出射曲面１９に反射された光を、出射光Ｅ３として光軸ＡＸに交差する方向Ｄに沿って出射する。
【００３５】
なお、本実施形態では、光軸ＡＸに交差する方向Ｄは、光軸ＡＸに直交する方向である。また、図３では、肉厚部１６が破線と第２入射曲面１５とで囲まれた領域で示され、図面の簡略化のため、断面を示す斜線を省略している。
【００３６】
図４及び図５を参照して、導光体１を備える発光装置２について説明する。図４は、発光装置２を示す断面図である。図４に示すように、発光装置２は、導光体１と、光源ユニット５０とを備える。光源ユニット５０は、ＬＥＤ群５１と、基板５３と、ソケット５５とを含む。基板５３にはＬＥＤ群５１が実装される。ＬＥＤ群５１が実装された基板５３はソケット５５に取り付けられる。
【００３７】
光源ユニット５０は、導光体１の凹部２５に装着される。具体的には、ソケット５５は、互いに対向する２つの爪部５７を含む。そして、爪部５７が、導光体１の筒部５に形成された位置決め部２１に係合される。その結果、光源ユニット５０が凹部２５に装着され、導光体１の本体部３に対して、ＬＥＤ群５１が位置決めされる。そして、ＬＥＤ群５１の発光する光が本体部３の入射面７に入射する。
【００３８】
図５（ａ）は、光源ユニット５０の表面側を示す斜視図である。図５（ｂ）は、光源ユニット５０の裏面側を示す斜視図である。図５（ａ）及び図５（ｂ）に示すように、光源ユニット５０は、ＬＥＤ群５１、基板５３、及びソケット５５に加えて、２本のビス５９と、２つの壁部６３と、２つの嵌合部６５とを含む。
【００３９】
ソケット５５は、絶縁体（例えば、合成樹脂）により形成される。ソケット５５の表面には略円形の孔６０が形成される。孔６０からＬＥＤ群５１が露出している。ＬＥＤ群５１を挟むように、２本のビス５９が配置される。ビス５９は光源ユニット５０を照明器具に固定する。沿面距離を長くするため、ソケット５５において、ビス５９とＬＥＤ群５１との間には、絶縁性を有する壁部６３が形成される。沿面距離とは、絶縁物の表面に沿って測定した２つの導電部間（つまり、ビス５９とＬＥＤ群５１との間）の最短距離のことである。
【００４０】
嵌合部６５は、ソケット５５の裏面に形成される。そして、基板５３は、嵌合部６５に嵌合され、ソケット５５に取り付けられる。なお、図面の簡略化のため図示を省略したが、光源ユニット５０は２つの電源線装着部をさらに含む。電源線装着部は、ソケット５５の側壁に形成され、基板５３を介してＬＥＤ群５１に接続される。そして、電源線装着部には電源線が装着される。その結果、ＬＥＤ群５１には、基板５３及び電源線装着部を介して、電源線から電力が供給される。
【００４１】
図６を参照して、発光装置２を備える照明器具１００について説明する。図６は、照明器具１００を示す図である。図６に示すように、照明器具１００は発光装置２を備える。照明器具１００は、例えば、天井２００から吊り下げられる。
【００４２】
以上、図１〜図３を参照して説明したように、本実施形態によれば、導光体１の入射面７及び第１出射面９の各々は湾曲している曲面である。従って、入射面及び／又は第１出射面が尖頭を有する場合と比較して、第１出射面９から出射する光に照度ムラが発生することを抑制できる。
【００４３】
また、本実施形態によれば、第２出射曲面１９は、第１入射曲面１３から入射した光の一部を透過及び屈折させて出射する一方、光の他の一部を、光軸ＡＸに交差する方向Ｄに沿って第２出射面１１に向けて反射する。従って、第２出射曲面１９に反射された光は、光軸ＡＸに交差する方向Ｄに沿って光軸ＡＸから離れるように光を出射する。その結果、ＬＥＤ群５１によって、白熱電球のフィラメントが発光した光と同様の配光を実現できる。
【００４４】
さらに、本実施形態によれば、第２出射曲面１９の曲率半径は、第１出射曲面１７の曲率半径よりも大きい。従って、第２出射曲面の曲率半径が第１出射曲面の曲率半径以下の場合と比較して、第２出射曲面１９から透過及び出射した光は、第１出射曲面１７から遠い位置で交差する。その結果、光軸ＡＸの延長線上に位置する照射面（例えば、机の天板の上面、又は床面）において、光の暗部が発生することを抑制できる。例えば、照射面において、円形状に拡がる光の中心領域に暗部が発生することを抑制できる。
【００４５】
さらに、本実施形態によれば、第１入射曲面１３の曲率半径は、第１出射曲面１７の曲率半径よりも大きい。従って、第１入射曲面１３は、第１入射曲面の曲率半径が第１出射曲面の曲率半径以下の場合と比較して、ＬＥＤ群５１の発光する光をより多く受光できる。つまり、ＬＥＤ群５１の発光する光のうち第１入射曲面１３に入射しない光は、損失光であるが、本実施形態では、損失光を減少させることができる。その結果、ＬＥＤ群５１と第１入射曲面１３との間の距離を短くでき、ひいては、発光装置２のサイズを小さくできる。また、損失光を減少させることができるので、第２出射面１１から出射する光の光量を多くできる。その結果、ＬＥＤ群５１によって、白熱電球のフィラメントが発光した光と同様の配光を更に効果的に実現できる。
【００４６】
さらに、本実施形態によれば、第２入射曲面１５と第２出射面１１との間の距離が第１出射面９に向かって拡大しているため、本体部３に肉厚部１６が形成される。従って、ＬＥＤ群５１から第２入射曲面１５に入射した光は、第２入射曲面１５と第２出射面１１とによって屈折される。その結果、第２出射面１１から図６に示す導光体１の斜め下方へ出射される光を減少させることができる。
【００４７】
具体的には、図３に示すように、光Ｆ２を抑え、屈折光Ｆ１を多くすることができる。その結果、導光体１の斜め下方に位置する人が第２出射面１１から出射される光による眩しさを感じることを抑制できる。また、第２入射曲面１５及び第２出射面１１で光が屈折されることで、第２入射曲面１５及び第２出射面１１を介して凹部２５の内部が外部から目視困難となる。従って、導光体１の主に斜め下方に位置する人が第２入射曲面１５及び第２出射面１１を介してＬＥＤ群５１を目視することが困難になる。その結果、導光体１、ひいては、照明器具１００の美感を向上できる。
【００４８】
さらに、本実施形態によれば、筒部５を設けることによって、導光体１に凹部２５を形成している。凹部２５を形成することによって、導光体１に光源ユニット５０を容易に装着できる。また、位置決め部２１に爪部５７を係合させて、光源ユニット５０を導光体１に装着する。従って、導光体１の本体部３に対してＬＥＤ群５１を精度良く位置決めできる。また、１ユニットとして発光装置２を製造できるため、様々なタイプの照明器具への展開が容易になる。
【００４９】
（変形例）
図７（ａ）及び図７（ｂ）を参照して、本発明の実施形態の変形例に係る導光体１について説明する。本変形例に係る導光体１は、横断部７１を有している点で、横断部７１を有しない本実施形態に係る導光体１と異なる。以下、本変形例が本実施形態と異なる点を主に説明する。
【００５０】
図７（ａ）は、本変形例に係る導光体１を示す斜視図である。図７（ｂ）は、図７（ａ）のＶＩＩＢ−ＶＩＩＢ線に沿った断面図である。図７（ａ）及び図７（ｂ）に示すように、導光体１の筒部５は２つの横断部７１をさらに含む。本変形例では、横断部７１は、筒部５に形成された切り欠きである。横断部７１を配線が横断する。例えば、導光体１に装着される光源ユニット５０から延びる配線が、横断部７１を通り、導光体１の外部に引き出される。
【００５１】
本変形例によれば、横断部７１を設けているため、導光体１が配線に乗り上げることが防止される。その結果、導光体１及びＬＥＤ群５１を適切な姿勢で照明器具１００に配置できる。なお、図７（ａ）では、本体部３と筒部５とを区別するため、一点鎖線を付している。
【００５２】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００５３】
（１）図１〜図６を参照して説明した本実施形態又は図７を参照して説明した本変形例において、入射面７、第１出射面９、及び第２出射面１１のうちの少なくとも１つの一部又は全部は、光拡散処理又は遮光処理されていてもよい。光拡散処理又は遮光処理によって、導光体１から出射する光の照度を小さくでき、必要に応じて眩しさを抑制できる。なお、内壁面２３は、光拡散処理を施すか否かはいずれでもよいが、本実施形態では一例として光拡散処理は施されていない。内壁面２３は、一部または全部が遮光処理されていてもよい。
【００５４】
例えば、第１入射曲面１３のうち第１出射曲面１７に対向する領域、第１入射曲面１３のうち第２出射曲面１９に対向する領域、及び第２入射曲面１５のうち少なくともいずれか一つに対して、光拡散処理又は遮光処理を施すことができる。例えば、第１出射曲面１７、第２出射曲面１９、及び第２出射面１１のうち少なくともいずれか一つに対して、光拡散処理又は遮光処理を施すことができる。例えば、第１入射曲面１３のうち第１出射曲面１７に対向する領域の全部若しくは一部、第１入射曲面１３のうち第２出射曲面１９に対向する領域の全部若しくは一部、第２入射曲面１５の全部若しくは一部、第１出射曲面１７の全部若しくは一部、第２出射曲面１９の全部若しくは一部、又は第２出射面１１の全部又は一部に対して、光拡散処理又は遮光処理を施すことができる。
【００５５】
光拡散処理または遮光処理を第１入射曲面１３のうち第１出射曲面１７に対向する領域に施すことにより、導光体１の直下照度を下げることができる。その結果、導光体１の主に直下に位置する人が眩しさを感じることを抑制できる。光拡散処理または遮光処理を第１入射曲面１３のうち第２出射曲面１９に対向する領域または第２出射面１１に施すことにより、導光体１の側方の照度を下げることができる。その結果、導光体１の主に側方に位置する人が眩しさを感じることを抑制できる。光拡散処理または遮光処理を第２入射曲面１５に施すことにより、導光体１の斜め下方の照度を下げることができる。その結果、導光体１の主に斜め下方に位置する人が眩しさを感じることを抑制できる。
【００５６】
例えば、光拡散処理は、対象物の表面を粗くしたり、光を拡散させる物質を対象物に塗布したり、光を拡散させるフィルムを対象物に貼付したりすることによって実行される。例えば、遮光処理は、入射した光の全部又は一部を透過させない色彩の塗料を対象物に塗ったり、入射した光の全部又は一部を透過させない色彩のフィルムを対象物に貼付したりすることによって実行される。
【００５７】
（２）本実施形態及び本変形例において、位置決め部２１には、ソケット５５に形成された爪部５７が係合された。ただし、光源ユニット５０がソケット５５を有しない場合は、例えば、基板５３に形成された２つの爪部を２つの位置決め部２１に係合して、光源ユニット５０を導光体１に装着することもできる。また、位置決め部２１及び爪部５７の各々は２つ設けられたが、２つに限定されず、３以上でもよい。さらに、横断部７１は２つ設けられたが、２つに限定されず、１つでもよいし、３以上でもよい。また、位置決め部２１は、貫通孔に限定されず、例えば、凹部でもよい。さらに、横断部７１は、切り欠きに限定されず、例えば、貫通孔でもよい。なお、本実施形態において、筒部５及び位置決め部２１を設けなくてもよいし、本変形例において、位置決め部２１を設けなくてもよい。
【００５８】
（３）本実施形態及び本変形例に係る導光体１及び発光装置２を搭載する照明器具は、図６に示した照明器具１００に限定されない。例えば、導光体１及び発光装置２は、垂直に起立した壁部、傾斜した壁部、又は傾斜した天井に取り付けられる照明器具に搭載されてもよい。また、導光体１の光軸ＡＸが照明器具の取り付けられる面に対して形成する角度は、任意であってよい。例えば、光軸ＡＸが照明器具の取り付けられる面に略直交するように、導光体１を照明器具に搭載することもできるし、光軸ＡＸが照明器具の取り付けられる面に略平行になるように、導光体１を照明器具に搭載することもできるし、光軸ＡＸが照明器具の取り付けられる面に対して傾斜するように、導光体１を照明器具に搭載することもできる。
【産業上の利用可能性】
【００５９】
本発明は、導光体及び発光装置を提供するものであり、産業上の利用可能性を有する。
【符号の説明】
【００６０】
１    導光体
３    本体部
５    筒部
７    入射面
９    第１出射面
１１    第２出射面
１３    第１入射曲面
１５    第２入射曲面
１７    第１出射曲面
１９    第２出射曲面
２１    位置決め部
５１    ＬＥＤ群（光源）
７１    横断部
ＡＸ    光軸
【図１】
0006507008.tif 000002
【図２】
0006507008.tif 000003
【図３】
0006507008.tif 000004
【図４】
0006507008.tif 000005
【図５】
0006507008.tif 000006
【図６】
0006507008.tif 000007
【図７】
0006507008.tif 000008